(57)【要約】【課題】物品を滑り難くした状態で支持することができるウエストクッションを提供すること。【解決手段】袋体と、前記袋体内に封入されたクッション材とを備え、  前記袋体は、着座姿勢の使用者の腹部にフィットする中間部と、着座姿勢の使用者の左右の脇腹にフィットする左右端部とを有するＣ形またはＵ形に形成され、さらに、前記中間部の外面の一部に滑り止め面部が設けられていることを特徴とするウエストクッション。【選択図】図１
2017131443.tif 000002
【特許請求の範囲】
【請求項１】
袋体と、前記袋体内に封入されたクッション材とを備え、
前記袋体は、着座姿勢の使用者の腹部にフィットする中間部と、着座姿勢の使用者の左右の脇腹にフィットする左右端部とを有するＣ形またはＵ形に形成され、さらに、前記中間部の外面の一部に滑り止め面部が設けられていることを特徴とするウエストクッション。
【請求項２】
前記袋体が、前記左右端部にバンド部または紐部をさらに有する請求項１に記載のウエストクッション。
【請求項３】
前記左右端部が前記中間部よりも細い請求項１または２に記載のウエストクッション。
【請求項４】
前記袋体が、前記クッション材を内部に封入する内袋と、前記内袋を覆う外袋とからなる請求項１〜３のいずれか１つに記載のウエストクッション。
【請求項５】
前記滑り止め面部がゴムシートからなる請求項１〜４のいずれか１つに記載のウエストクッション。
【請求項６】
前記ゴムシートがクロロプレンゴムからなる請求項５に記載のウエストクッション。
【請求項７】
前記滑り止め面部が面ファスナーからなる請求項１〜４のいずれか１つに記載のウエストクッション。
【請求項８】
前記滑り止め面部の内側にポケットが設けられた請求項１〜７のいずれか１つに記載のウエストクッション。
【請求項９】
前記外袋が伸縮性の生地からなり、前記クッション材が発泡樹脂粒子からなる請求項１〜８のいずれか１つに記載のウエストクッション。
【発明の詳細な説明】
【技術分野】
【０００１】
本発明はウエストクッションに関し、詳しくは着座した使用者の膝上に置いて使用するウエストクッションに関する。
【背景技術】
【０００２】
従来のこの種のクッションとして、特許文献１に記載のものが提案されている。このクッションは、弧状に形成されたクッション本体と、クッション本体の外周に巻き付けて取り付けるための取付ベルトを有する補助枕とを備えている。また、クッション本体の両端部には連結部が設けられている。
【０００３】
このクッションを使用する際は、着座姿勢の使用者の膝上に乗せたクッション本体を胴体に巻き付けて両端部を連結部にて連結する。そして、使用者は、例えば、クッション本体上に乳児を寝かせて授乳する、本を置いて読書する、ノートパソコン、タブレット型端末、スマートフォン、ポータブルＤＶＤプレイヤーといった電子機器を置いて動画を視聴するといったことができる。
【０００４】
特に、動画を視聴する場合、電子機器を膝上に直接乗せると画面が遠ざかって画像が視にくくなるため使用者は前屈みとなって顔を画面に近づける、あるいは電子機器を持ち上げて画面を顔に近づけるといった姿勢となる。しかし、前屈みの姿勢は腰に負担がかかって痛めてしまうおそれがあり、電子機器を持ち上げるのは腕がだるくなるため長時間維持することはできない。クッションを用いることにより背筋を伸ばし腰への負担を軽減することができ、しかも腕をクッション上に置いた状態で電子機器を保持できるため、動画を長時間楽な姿勢で視聴することができる。なお、読書の場合も同様である。
【０００５】
特に、車椅子に座った人が前記クッションを使用する場合は、クッション上に電子機器を置いて動画を視聴するのに大変便利であり、また、クッション上にトレーを置けば食卓以外の場所で食事することも可能となって便利である。
【先行技術文献】
【特許文献】
【０００６】
【特許文献１】特開２０１３−１７９９７４号公報
【発明の概要】
【発明が解決しようとする課題】
【０００７】
しかしながら、クッション上の電子機器やトレーは滑って位置ずれしやすいため、特に、車椅子で移動しているときに滑り落ちるおそれがある。また、このような不具合は、例えば、自動車の助手席に座る人がクッションを前記のように使用する場合にも生じるおそれがある。
【０００８】
本発明はこのような課題に鑑みなされたものであり、物品を滑り難くした状態で支持することができるウエストクッションを提供することを目的とする。
【課題を解決するための手段】
【０００９】
かくして、本発明によれば、袋体と、前記袋体内に封入されたクッション材とを備え、
前記袋体は、着座姿勢の使用者の腹部にフィットする中間部と、着座姿勢の使用者の左右の脇腹にフィットする左右端部とを有するＣ形またはＵ形に形成され、さらに、前記中間部の外面の一部に滑り止め面部が設けられているウエストクッションが提供される。
【発明の効果】
【００１０】
Ｃ形またはＵ形に形成された本発明のウエストクッションは、Ｃ形またはＵ形の開口部に着座姿勢の使用者の腹部を嵌め込むようにして膝上に載せられて使用（装着）される。このとき、ウエストクッションの中間部を使用者の腹部にフィットさせ、左右端部を使用者の左右の脇腹にフィットさせ、さらに中間部上面における使用者の正面側に滑り止め面部を配置させることができる。
この状態において、ウエストクッションの滑り止め面部上に、例えば、電子機器（ノートパソコン、タブレット型端末、スマートフォン、ポータブルＤＶＤプレイヤー等）、書籍あるいは飲食料品を載せたトレーといった物品を置くと、ウエストクッション上での物品の滑りが防止される。
【００１１】
したがって、椅子やソファーに腰掛けた状態で使用する場合は無論のこと、車椅子あるいは自動車の助手席に座った使用者が膝上にウエストクッションを載せ、その上に前記物品を置いて使用する場合でも、振動や移動速度の変化等によってウエストクッション上の物品が滑り落ちて破損したり床を汚してしまうといった不具合を防止できる。特に、使用者が車椅子の左右の車輪を両手で回して移動する際、ウエストクッション上の物品を手で押さえなくても滑り落ちることがないため、本発明のウエストクッションは車椅子での使用に有効である。
【図面の簡単な説明】
【００１２】
【図１】本発明のウエストクッションの実施形態１を示す斜視図である。
【図２（Ａ）】実施形態１のウエストクッションの正面図である。
【図２（Ｂ）】図２（Ａ）のウエストクッションのファスナーを開けた状態を示す図である。
【図３】実施形態１のウエストクッションの車椅子での第１の使用状態を示す説明図である。
【図４】実施形態１のウエストクッションの車椅子での第２の使用状態を示す説明図である。
【図５】実施形態１のウエストクッションの車椅子での第３の使用状態を示す説明図である。
【図６】実施形態１のウエストクッションの車椅子での第４の使用状態を示す説明図である。
【図７】実施形態１のウエストクッションの自動車の助手席での使用状態を示す説明図である。
【図８】実施形態１のウエストクッションの折り畳み椅子での使用状態を示す説明図である。
【図９】本発明のウエストクッションの実施形態３を示す斜視図である。
【図１０】本発明のウエストクッションの実施形態４を示す斜視図である。
【図１１（Ａ）】実施形態４のウエストクッション上にトレーを載せる前の状態を示す説明図である。
【図１１（Ｂ）】実施形態４のウエストクッション上にトレーを載せた状態を示す説明図である。
【図１２】本発明のウエストクッションの実施形態５を示す平面図である。
【図１３】本発明のウエストクッションの実施形態６を示す平面図である。
【発明を実施するための形態】
【００１３】
本発明のウエストクッションは、袋体と、前記袋体内に封入されたクッション材とを備え、
前記袋体は、着座姿勢の使用者の腹部にフィットする中間部と、着座姿勢の使用者の左右の脇腹にフィットする左右端部とを有するＣ形に形成され、さらに、前記中間部の外面の一部に滑り止め面部が設けられている。
【００１４】
本発明のクッションは、次のように構成されてもよく、それらが適宜組み合わされてもよい。
（１）前記袋体が、前記左右端部にバンド部または紐部をさらに有してもよい。
このようにすれば、車椅子に座った使用者の膝上にウエストクッションを乗せ、バンド部または紐部を車椅子の肘掛けまたは背もたれに括り付けることにより、ウエストクッションが不意に使用者の膝上からずれ落ちることがないように使用者の腹部に密着させた状態を維持することができる。
【００１５】
（２）前記左右端部が前記中間部よりも細くてもよい。
このようにすれば、車椅子に座った使用者の腹回りにウエストクッションを装着する際、車椅子の左右側壁と使用者の左右腹部との間の狭いスペースにウエストクッションの左右端部が収まるため、ウエストクッションの装着感が良好となる。
【００１６】
（３）前記袋体が、前記クッション材を内部に封入する内袋と、前記内袋を覆う外袋とからなってもよい。
このように袋体を二重構造とすることによりクッション材の外部への流出を強固に防止することができ、特に、クッション材が微細な粒子状である場合に好適である。
【００１７】
（４）前記滑り止め面部がゴムシートからなってもよい。
この場合、ゴムシートとしては、例えば、天然ゴム、合成天然ゴム、ブタジエンゴム、スチレン・ブタジエンゴム、ブチルゴム、ニトリルゴム、エチレン・プロピレンゴム、クロロプレンゴム、アクリルゴム、クロロスルホン化ポリエチレンゴム、ウレタンゴム、シリコーンゴム、フッ素ゴム、エチレン・酢酸ビニルゴム、エピクロルヒドリンゴム、多硫化ゴム等からなる各種ゴムシートを用いることができ、これらの中でも比較的静摩擦係数が大きい天然ゴム、合成天然ゴム、スチレン・ブタジエンゴム、ブチルゴムまたはクロロプレンゴムからなるゴムシートが好ましい。
また、ゴムシート以外には、例えば、発泡塩化ビニール樹脂といった発泡樹脂シートを用いることもできる。
【００１８】
（５）前記滑り止め面部が面ファスナーからなってもよい。
この場合、面ファスナーを構成するフック状繊維面部とループ状繊維面部のいずれか一方にて袋体の中間部の外面を形成し、かつ他方を物品の下面に貼り付ける。例えば、袋体の中間部の外面をループ状繊維面部によって形成し、かつ物品の下面にフック状繊維面部を貼り付ける。このようにすれば、物品を袋体上に載せると、物品下面のフック状繊維面部が袋体上面のループ状繊維面部と面接触結合するため、袋体上の物品の滑りを防止することができる。
【００１９】
（６）前記滑り止め面部の内側にポケットが設けられてもよい。
このようにすれば、滑り止め面部上に物品を置かない場合にポケットに使用者の手を入れておくことができる。特に、寒い時期に使用者の手をポケットに入れることにより温めることができる。また、両手をポケットに入れると収まりがよいため、着座姿勢の使用者に対してリラックス効果を与えることができる。
（７）前記外袋が伸縮性の生地からなり、前記クッション材が発泡樹脂粒子からなってもよい。
このようにすれば、変形性に優れたウエストクッションを得ることができるため、ウエストクッションの滑り止め面部とその上に置いた物品との密着性が向上し、滑り止め効果が向上する。また、ウエストクッションの弾力による手触りも良好となる。
【００２０】
以下、図面を参照しながら本発明のクッションの実施形態について詳説する。
【００２１】
（実施形態１）
図１は本発明のウエストクッションの実施形態１を示す斜視図である。また、図２（Ａ）は実施形態１のウエストクッションの正面図であり、図２（Ｂ）は図２（Ａ）のウエストクッションのファスナーを開けた状態を示す図である。また、図３は実施形態１のウエストクッションの車椅子での第１の使用状態を示す説明図である。
【００２２】
＜ウエストクッションの構成＞
このウエストクッション１０は、袋体１１と、袋体１１内に封入された図示しないクッション材とを備える。
クッション材としては、特に限定されず、例えば、綿、不織布、スポンジ、合成ゴムまたはウレタンといった樹脂からなる合成スポンジ、発泡樹脂粒子等を用いることができる。
【００２３】
袋体１１は、クッション材を内部に封入する内袋１１Ｂと、内袋１１Ｂを覆う外袋１１Ａとからなり、外袋１１Ａおよび内袋１１Ｂは同じＣ形に形成されている。すなわち、ウエストクッション１０の使用状態において、外袋１１Ａと内袋１１Ｂからなる袋体１１は、着座姿勢の使用者Ｕの腹部にフィットする中間部１１ｍと、着座姿勢の使用者Ｕの左右の脇腹にフィットする左右端部１１ｅとを有するＣ形に形成されている。
【００２４】
具体的に、外袋１１Ａは、下面を構成する第１生地１１Ａａと、上面の左右部を構成する第２・第３生地１１Ａｂ、１１Ａｃと、上面の中央部を構成する第４生地１１Ａｄと、前面および左右側面を構成する第５生地１１Ａｅとを有し、第１〜第５生地１１Ａａ〜１１Ａｅの外周端部が縫い合わされて形成されている。また、第１生地１１Ａａと第５生地１１Ａｅとの間の前面側にはファスナー１１Ａｆが取り付けられており、ファスナー１１Ａｆのスライダーに設けられた引手１１Ａｆ1が外部に露出している。なお、縫製後に縫い目が内側に隠れるよう生地を裏返して外袋１１Ａが完成する。
【００２５】
第１〜３、５生地１１Ａａ〜１１Ａｃ、１１Ａｅは、伸縮性を有する生地からなり、例えば、ストレッチ試験で３０〜３００％の伸縮性を有する生地を用いることができ、具体的には、弾性を有するスパンデックス（ポリウレタン弾性糸）が挙げられる。
【００２６】
第４生地１１Ａｄは、台形のゴムシートからなり、中間部１１ａの外面の中央部に設けられた滑り止め面部１１Ａｄとして機能する。このゴムシートとしては、例えば、天然ゴム、合成天然ゴム、ブタジエンゴム、スチレン・ブタジエンゴム、ブチルゴム、ニトリルゴム、エチレン・プロピレンゴム、クロロプレンゴム、アクリルゴム、クロロスルホン化ポリエチレンゴム、ウレタンゴム、シリコーンゴム、フッ素ゴム、エチレン・酢酸ビニルゴム、エピクロルヒドリンゴム、多硫化ゴム等からなる各種ゴムシートを用いることができ、本実施形態ではクロロプレンゴムからなるゴムシートが用いられている。クロロプレンゴムからなるゴムシート上に物品を置くと吸着するような密着感と共に滑り止め性を得ることができる。なお、ミシンによる縫製を容易とするために、ゴムシートの裏面（内面）に前記伸縮性を有する生地（例えば、スパンデックス）を貼り付けて第４生地１１Ａｄを構成してもよい。
【００２７】
内袋１１Ｂは、下面を構成する第１生地１１Ｂａと、上面を構成する第２生地１１Ｂｂとを有し、それらの外周端部が縫い合わされて形成されている。また、第１生地１１Ｂａと第２生地１１Ｂｂとの間の前面側には小さいファスナー１１Ｂｆが取り付けられている。このファスナー１１Ｂｆを開けてクッション材が充填される。なお、内袋１１Ｂの第１および第２生地１１Ｂａ、１１Ｂｂも、外袋１１Ａの第１生地１１Ａａ等と同じ伸縮性を有する生地にて作製される。
【００２８】
また、本実施形態ではクッション材として平均粒子径０．３〜３．０ｍｍ程度の微小な発泡ポリスチレン系樹脂粒子を用いているため、ファスナー１１Ｂｆの内側にも図示しないファスナーが設けられている。また、外側のファスナー１１Ｂｆの引手を取り外している。このように発泡樹脂粒子の充填口を二重ファスナー構造とすることにより、使用者Ｕが誤って外側のファスナー１１Ｂｆを開けて発泡樹脂粒子が外部へ流出するのを防止している。また、充填口をファスナーにて開閉できるように構成したことにより、発泡樹脂粒子を内袋１１Ｂ内へ充填した後の充填口の封止が簡単かつ迅速に行うことができると共に、発泡樹脂粒子の内袋１１Ｂ内への補充も簡単に行うことができる。
【００２９】
このように構成された袋体１１は、左右端部１１ｅが中間部１１ｍよりも細くなっている。これにより、車椅子Ｃｗに座った使用者Ｕの腹回りにウエストクッション１０を装着する際、車椅子Ｃｗの左右側壁Ｃｗ1と使用者Ｕの左右の脇腹との間の狭いスペースにウエストクッション１０の左右端部１１ｅが収まるため、ウエストクッション１０の装着感が良好となる。なお、本実施形態では、中間部１１ｍの最大太さ（胴回り）としては５０〜８０ｃｍ程度であり、この太さから左右端部１１ｅ側へ向かって１０〜２０ｃｍ程度まで徐々に細くなっているが、これらの寸法に限定されるものではない。
【００３０】
さらに、袋体１１は左右端部１１ｅにバンド部１１ｂまたは紐部を有している。本実施形態では、一面に設けられたフック状繊維面部１１ｂ1と、前記一面と反対側の他面に設けられた前記フック状繊維面部１１ｂ1との面接触により結合可能なループ状繊維面部１１ｂ2とを有する一対のバンド部１１ｂが、外袋１１Ａの左右両端部に縫い付けられた場合を例示している。
【００３１】
すなわち、フック状繊維面部１１ｂ1およびループ状繊維面部１１ｂ2を有するバンド部１１ｂによって面ファスナー部が構成されている。このとき、本実施形態では、バンド部１１ｂの両面の長手方向に連続的にフック状繊維面部１１ｂ1とループ状繊維面部１１ｂ2が設けられている場合を例示しているが、これらを断続的に設けてもよい。
【００３２】
フック状繊維面部１１ｂ1およびループ状繊維面部１１ｂ2は、それらがセットで市販されている公知物、例えば、マジックテープ（登録商標）、ベルクロ（登録商標）または米国特許第7,231789号に記載のスナッピング・ファブリックス（AICARE WORDWIDE CO.,LTD.のステッキーファブリック）といった公知の面状ファスナーを用いることができる。また、帝人株式会社のナノフロント（登録商標）をフック状繊維面部１１ｂ1およびループ状繊維面部１１ｂ2として用いてもよく、あるいは、ベルクロのフック状繊維面部またはループ状繊維面部をフック状繊維面部１１ｂ1として用い、これに対してナノフロントをループ状繊維面部１１ｂ2として用いてもよい。
【００３３】
マジックテープおよびベルクロは、フック材とループ材とを個別に有してなるため、例えば、布基材の一面全面にフック材（またはループ材）を縫い付けた後、その布基材の他面全面にループ材（またはフック材）を縫い付けて製作する。
【００３４】
スナッピング・ファブリックスは、布基材の一面全面および他面全面がフック状繊維面部１１ｂ1およびループ状繊維面部１１ｂ2となったものが市販されているため、これをそのままバンド部１１ｂとして用いることができる。また、フック状繊維面部１１ｂ1およびループ状繊維面部１１ｂ2が個別に分離したスナッピング・ファブリックスも市販されており、これらを布基材の一面と他面に断続的に縫い付けてバンド部１１ｂを作製してもよい。なお、実施形態１では、連続的なスナッピング・ファブリックスを用いたバンド部１１ｂを例示している。
【００３５】
このバンド部１１ｂを有するウエストクッション１０によれば、例えば図３に示す車椅子Ｃｗでの使用の際に、バンド部１１ｂを車椅子ＣｗのハンドルＣｗ4に巻き、一面側のフック状繊維面部１１ｂ1と他面側のループ状繊維面部１１ｂ2を面接触させることにより結合させ、ウエストクッション１０が前に位置ずれしないよう車椅子Ｃｗに固定することができる。このようにすれば、使用者Ｕの左右の脇が左右のバンド部１１ｂによって軽く持ち上げられるため、使用者Ｕの身体の左右への倒れを抑制することができると共に、使用者Ｕの車椅子Ｃｗからの転落を防止することができる。
【００３６】
なお、バンド部１１ｂをハンドルＣｗ４に巻き付ける以外に、一方のバンド部１１ｂのフック状繊維面部１１ｂ1と他方のバンド部１１ｂのループ状繊維面部１１ｂ2を車椅子Ｃｗの背もたれＣｗ2の後側で面接触結合させて、ウエストクッション１０を車椅子Ｃｗに固定することができる（図４参照）。
【００３７】
スナッピング・ファブリックスを用いた実施形態１の場合の面接触結合の結合力は、フック状繊維面部１１ｂ1およびループ状繊維面部１１ｂ2に平行な方向の力に対して強いが、フック状繊維面部１１ｂ1およびループ状繊維面部１１ｂ2を相対的に剥離する方向の力に対しては弱い。したがって、サポートバンド１０を使用者に装着した状態において、フック状繊維面部１１Ｂａとループ状繊維面部１１Ｂｂとの面接触結合を意図的に外す場合を除いては外れ難くなっている。
【００３８】
＜ウエストクッションの使用形態＞
本発明のウエストクッション１０は、着座姿勢の使用者Ｕに装着して使用され、特に、図３に示すような車椅子Ｃｗでの使用に好適である。車椅子Ｃｗに座った使用者Ｕは、両腕を柔らかいウエストクッション１０上に置くことができるため、両腕を肘掛けＣｗ2に長時間置くことによる痺れや痛みを解消することができる。また、使用者Ｕは両腕でウエストクッション１０を抱え込んで楽な姿勢を維持することができる、頭をウエストクッション１０上に載せうつぶせた状態で仮眠することができる、ウエストクッション１０によって身体が保護されているという安心感を得ることができる、ウエストクッション１０によって使用者Ｕの左右への倒れ抑制および転落防止を図ることができる、という効果を得ることができる。
【００３９】
また、車椅子に座った人が自力で飲食物を載せたトレーを運ぶ場合、膝上にトレーを置き、両手で車輪を回して移動することになる。そのため、移動中の車椅子Ｃｗが急停止すると、金属製またはプラスチック製の滑りやすいトレーが膝上から滑り落ちるおそれがある。そこで、本発明のウエストクッション１０を用いれば、図４に示すように、飲食物を載せたトレーＴが滑り止め面部１１Ａｄ上に置かれて滑り止めされるため、手で掴んでいなくてもトレーＴがウエストクッション１０上から滑り落ちることがない。
【００４０】
この際、飲食物を載せたトレーＴの重量によってウエストクッション１０の凸曲面状の上面が沈み込んで平坦となることにより、トレーＴの下面と滑り止め面部１１Ａｄとの接触面積が増加し、これらの間の静摩擦抵抗（滑り止め効果）が増大する。
したがって、使用者Ｕは車椅子Ｃｗに乗っていても食卓以外の好みの場所までトレーＴを運んで気軽に食事を楽しむことができるようになる。それに加え、ウエストクッション１０によってトレーＴの位置が高くなるため、食事がしやすくなって好都合となる。
【００４１】
また、前記と同様に、車椅子に座った人が自力でノート型パソコンを運ぶ場合、膝上にノート型パソコンを置き、両手で車輪を回して移動することになる。そのため、移動中の車椅子Ｃｗが急停止すると、ノート型パソコンが膝上から滑り落ちるおそれがある。そこで、図５に示すように、ノート型パソコン、タブレット型端末、スマートフォン、ポータブルＤＶＤプレイヤーといった電子機器Ｅを用いて動画を視聴する場合、ウエストクッション１０の滑り止め面部１１Ａｄ上に置かれたこれらの電子機器は滑り止めされるため、テレビが設定された部屋以外の好みの場所まで電子機器Ｅを運んで気軽に動画を楽しむことができる。
【００４２】
また、車椅子Ｃｗに座ったまま長時間動画（例えば映画）を観ている間に身体を少し動かして筋肉をほぐすことにより楽になる。このようなとき、手で電子機器Ｅを押さえていなくても、滑り止め面部１１Ａｄによって電子機器Ｅのウエストクッション１０からの滑落が防止される。また、ウエストクッション１０によって電子機器Ｅの位置が高くなるため動画が観やすくなって好都合であり、タブレット型端末またはスマートフォンで動画を観る場合はウエストクッション１０を弾性変形させて画面を視やすい角度に容易に調整することができる。
【００４３】
また、図６に示すように、雑誌や本といった書籍Ｂもウエストクッション１０の滑り止め面部１１Ａｄ上で滑り止めされるため、手で書籍Ｂを押さえなくても車椅子Ｃｗにて好みの場所まで運んで読書を楽しむことができる。この際、ウエストクッション１０によって書籍Ｂが支えられるため、書籍Ｂを持ち上げることによって腕がだるくなり長時間読書ができないという不具合を解消することができる。
【００４４】
車椅子での生活を余儀なくされている人にとっての食事や娯楽は健常者以上に重要な要素である。本発明のウエストクッション１０は、特に、車椅子に座る人がトレー、電子機器、書籍等の物品を安全に運搬することができ、かつそれらの物品を安定的に支持する機能を備えているため、車椅子生活のあらゆる状況で大いに役立てることができる。
【００４５】
一方、本発明のウエストクッション１０は、車椅子での使用以外の使用も無論可能であり、例えば、図７に示すように、自動車の助手席Ｓに座る使用者Ｕの腹回りに装着して使用することもできる。このとき、一対のバンド部１１ｂを助手席Ｓの背もたれと使用者Ｕの腰との間に挟み込むことにより、ウエストクッション１０が前に位置ずれしない。
【００４６】
図７では、ウエストクッション１０上に電子機器Ｅとしてのノート型パソコンを置いて文書作成作業を行っている状態を例示しているが、前記したように電子機器Ｅを用いて動画の視聴、電子メールのやり取り、インターネット検索等を行うことができる。さらには、図４で説明したようなトレーＴを置いての食事や、図５で説明したような読書も行うことができる。このような使用形態において、走行中の自動車の急な減速や旋回等によってもウエストクッション１０上の物品は滑り止め面部１１Ａｄによって滑り止めされるため滑落することがない。
【００４７】
また、図８に示すように、折り畳み椅子Ｃｃに座った使用者Ｕの腹回りにウエストクッション１０を装着し、その上にメモ用紙を挟んだクリップボードＱを置いてメモを取るという使い方もできる。このとき、一対のバンド部１１ｂを折り畳み椅子Ｃｃの左右のパイプ部に巻き付けてもよい。
【００４８】
図８に示した使用形態によれば、ウエストクッション１０にてクリップボードＱが安定的に支持され、かつ滑り止め面部１１ＡｄによってクリップボードＱが滑り止めされるため、例えば、体育館のような机がない場所での講演会においても楽にメモを取ることができる。また、メモを取らないときは座席の上にウエストクッション１０を置いて座ることもできる。
【００４９】
（実施形態２）
実施形態１では、一対のバンド部１１ｂを有するウエストクッション１０を例示したが、一対のバンド部１１ｂの代わりに一対の紐部を設けてもよい。この場合、車椅子での使用に際しては、一対の紐部を車椅子の肘掛けに結びつける、あるいは背もたれの後側で一対の紐部を結んでウエストクッションを車椅子に固定することができる。
【００５０】
（実施形態３）
図９は本発明のウエストクッションの実施形態３を示す斜視図である。なお、図９において、図１中の要素と同様の要素には同一の符号を付している。
実施形態３のウエストクッション１１０は、実施形態１のウエストクッション１０（図１参照）における滑り止め面部１１Ａｄの内側にポケットを設けたものであり、実施形態３におけるその他の構成は実施形態１と同様である。
【００５１】
実施形態３の場合、例えば、袋体１１１の上面を１枚のＣ形の生地１１１Ａｂにて構成し、その生地１１１Ａｂの中央に滑り止め面部１１Ａｄ（ゴムシート）を配置して前後端部のみを縫い付け、滑り止め面部１１Ａｄの左右端部をポケットの開口部１１１ｐとする。
【００５２】
このようにすれば、滑り止め面部１１Ａｄ上に物品を置かない場合にポケットに使用者の片手または両手を入れておくことができる。特に、寒い時期に使用者の手をポケットに入れることにより保温効果を得ることができる。また、両手をポケットに入れると収まりがよいため、着座姿勢の使用者に対してリラックス効果を与えることができる。
【００５３】
（実施形態４）
図１０は本発明のウエストクッションの実施形態４を示す斜視図である。また、図１１（Ａ）は実施形態４のウエストクッション上にトレーを載せる前の状態を示す説明図であり、図１１（Ｂ）は実施形態４のウエストクッション上にトレーを載せた状態を示す説明図である。なお、図１０〜図１１（Ｂ）において、図１中の要素と同様の要素には同一の符号を付している。
【００５４】
実施形態４のウエストクッション２００は、実施形態１におけるゴムシートからなる滑り止め面部１１Ａｄとは異なる構成の滑り止め面部２１１Ａｄを有すること以外は、実施形態１と同様である。以下、実施形態４における実施形態１とは異なる点を主に説明する。
【００５５】
実施形態４の場合、滑り止め面部２１１Ａｄは面ファスナーからなる。この面ファスナーは、シート状のフック状繊維面部２１１Ａｄ1と、このフック状繊維面部２１１Ａｄ1と面接触することにより結合するシート状のループ状繊維面部２１１Ａｄ2とからなり、実施形態１におけるバンド部１１ｂに用いた素材を用いることができる。
実施形態４では、ループ状繊維面部２１１Ａｄ2によって袋体１１の中間部の外面が形成された場合を例示している。
【００５６】
一方、フック状繊維面部２１１Ａｄ1は、例えば、トレーＴの下面に貼り付けられる（図１１（Ａ）参照）。この場合、例えば、フック状繊維面部２１１Ａｄ1の上面に粘着剤層２１１Ａｄ11が設けられており、この粘着剤層２１１Ａｄ11がトレーＴの下面に剥離可能に密着する。なお、トレーＴから剥がしたフック状繊維面部２１１Ａｄ1の粘着剤層２１１Ａｄ11は、粘着力が低下しないよう剥離紙にて覆われてもよい。
【００５７】
このように構成されたウエストクッション２００を、図１１（Ｂ）に示すようにトレーＴを袋体１１上に載せると、トレーＴ側のフック状繊維面部２１１Ａｄ1が袋体１１側のループ状繊維面部２１１Ａｄ2と面接触結合する。これにより、ウエストクッション２００上のトレーＴの滑りが防止される。なお、トレーＴ以外にも、ノートパソコン、タブレット型端末、携帯型ＤＶＤプレイヤー等の下面が平坦な電子機器にフック状繊維面部２１１Ａｄ1を貼り付けて滑り止めをすることもできる。
【００５８】
実施形態４において、フック状繊維面部２１１Ａｄ1とループ状繊維面部２１１Ａｄ2の位置は逆にしてもよい。
また、フック状繊維面部２１１Ａｄ1とループ状繊維面部２１１Ａｄ2のうち、袋体１１の外面を構成する方の内側に、図９で説明したポケットを設けてもよい。
【００５９】
（実施形態５）
図１２は本発明のウエストクッションの実施形態５を示す平面図である。なお、図１２において、図１中の要素と同様の要素には同一の符号を付している。
実施形態５のウエストクッション３００は、滑り止め面部１１Ａｄを有するＵ形の袋体３１１と、袋体３１１の両端に設けられた長さ調整可能なバンド部３１１ｂ1、３１１ｂ2とを備える。
【００６０】
一方のバンド３１１ｂ1の端部には係止雄部３１１ｂ11が設けられると共に、他方のバンド３１１ｂ2の端部には係止雌部３１１ｂ21が設けられており、これらでワンタッチバックル（サイドリリースバックル）を構成している。すなわち、ワンタッチバックルは、係止雌部３１１ｂ21に係止雄部３１１ｂ11を差し込むことにより、係止雄部３１１ｂ11の一対の係止片が係止雌部３１１ｂ21の一対の係止凹部に係止し、一対の係止片を指で押し込むことにより一対の係止凹部から離脱するよう構成されている。したがって、図４で説明したように、車椅子Ｃｗの背もたれ部Ｃｗ2の後側でバンド部３１１ｂ1、３１１ｂ2の連結および分離を迅速かつ容易に行うことができる。
【００６１】
また、実施形態５の場合、袋体３１１がＵ形であることにより、車椅子Ｃｗの肘掛けＣｗ１の後端部を袋体３１１の左右端部３１１ｅにて十分覆うことができ、使用者の肘を後に移動させてもクッション性を得ることができる。
実施形態５において、その他の構成は実施形態１と同様である。
【００６２】
（実施形態６）
図１３は本発明のウエストクッションの実施形態６を示す平面図である。なお、図１３において、図１中の要素と同様の要素には同一の符号を付している。
実施形態６のウエストクッション４００は、滑り止め面部１１Ａｄを有するＵ形の袋体４１１と、袋体４１１の両端に設けられた一対の紐部４１１ｂとを備える。
【００６３】
実施形態６の袋体４１１は、左右端部４１１ｅが実施形態５よりも長くなっている。そのため、図３での説明と同様に一対の紐部４１１ｂを車椅子ＣｗのハンドルＣｗ4に括り付ける場合、使用者Ｕの脇下を袋体４１１の柔らかい左右端部４１１ｅにて支持することができる。
実施形態６において、その他の構成は実施形態１と同様である。
【００６４】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６５】
１０、１００、２００、３００、４００  ウエストクッション
１１、３１１、４１１  袋体
１１Ａ  外袋
１１Ａｄ  滑り止め面部（第４生地）
１１Ｂ  内袋
１１ｂ、３１１ｂ1、３１１ｂ2  バンド部
１１ｂ1、２１１Ａｄ1  フック状繊維面部
１１ｂ2、２１１Ａｄ2  ループ状繊維面部
１１ｅ、３１１ｅ、４１１ｅ  左右端部
１１ｍ  中間部
２１１Ａｄ  滑り止め面部
４１１ｂ  紐部
Ｕ  使用者
【図１】
2017131443.tif 000003
【図２（Ａ）】
2017131443.tif 000004
【図２（Ｂ）】
2017131443.tif 000005
【図３】
2017131443.tif 000006
【図４】
2017131443.tif 000007
【図５】
2017131443.tif 000008
【図６】
2017131443.tif 000009
【図７】
2017131443.tif 000010
【図８】
2017131443.tif 000011
【図９】
2017131443.tif 000012
【図１０】
2017131443.tif 000013
【図１１（Ａ）】
2017131443.tif 000014
【図１１（Ｂ）】
2017131443.tif 000015
【図１２】
2017131443.tif 000016
【図１３】
2017131443.tif 000017
【手続補正書】
【提出日】平成29年2月27日(2017.2.27)
【手続補正１】
【補正対象書類名】特許請求の範囲
【補正対象項目名】請求項９
【補正方法】変更
【補正の内容】
【請求項９】
前記外袋が伸縮性の生地からなり、前記クッション材が発泡樹脂粒子からなる請求項４に記載のウエストクッション。